(57)【要約】【課題】平型導体のプラス極とマイナス極のそれぞれの導通を安全に確保しながら、その区分けを簡単な構造で行なうことができる、薄型の発光パネル用電極構造体を提供する。【解決手段】第一絶縁性部材上に３枚以上の平型導体を互いに略平行に接触させずに並べ、前記平型導体のうち１枚をＡ極とし、それ以外の複数枚をＡ極とは異極のＢ極とし、Ｂ極の各平型導体の上を金属プレートで橋渡ししてＢ極の各平型導体を互いに電気的に導通させ、Ａ極の平型導体の上に第二絶縁性部材を設けてＡ極の平型導体を金属プレートから絶縁させていることを特徴とする発光パネル用電極構造体。【選択図】図２
2014098733.tif 000002
【特許請求の範囲】
【請求項１】
第一絶縁性部材上に３枚以上の平型導体を互いに略平行に接触させずに並べ、前記平型導体のうち１枚をＡ極とし、それ以外の複数枚をＡ極とは異極のＢ極とし、Ｂ極の各平型導体の上を金属プレートで橋渡ししてＢ極の各平型導体を互いに電気的に導通させ、Ａ極の平型導体の上に第二絶縁性部材を設けてＡ極の平型導体を金属プレートから絶縁させていることを特徴とする発光パネル用電極構造体。
【請求項２】
第一絶縁性部材上に４枚以上の平型導体を互いに略平行に接触させずに並べ、前記平型導体のうち複数枚をＡ極とし、それ以外の複数枚をＡ極とは異極のＢ極とし、Ａ極の各平型導体の上を第一金属プレートで橋渡ししてＡ極の各平型導体を互いに電気的に導通させ、Ｂ極の各平型導体の上を第一金属プレートとは別個の第二金属プレートで橋渡ししてＢ極の各平型導体を互いに電気的に導通させ、Ａ極の平型導体の上に第二絶縁性部材を設けてＡ極の平型導体を第二金属プレートから絶縁させ、Ｂ極の平型導体の上に第三絶縁性部材を設けてＢ極の平型導体を第一金属プレートから絶縁させていることを特徴とする発光パネル用電極構造体。
【請求項３】
Ａ極とＢ極の電極を有し、それらに電流を流すことによって発光することができる発光パネルを、請求項１または２に記載の電極構造体と重ね合わせ、発光パネルのＡ極、Ｂ極を電極構造体のＡ極、Ｂ極にそれぞれ連結していることを特徴とする発光パネル構造体。
【発明の詳細な説明】
【技術分野】
【０００１】
本発明は、外付けアイテムを使用せずに簡単な構造でＦＰＣ(フレキシブルプリント配線板、フレキシブルプリント基板)・ＦＦＣ（フラットケーブル、フレキシブルフラットケーブル）内の多数枚の平型導体の極ごとの区分けを安全に行なうことができる発光パネル用電極構造体、及びそれを使用した発光パネル構造体に関する。
【背景技術】
【０００２】
発光パネル用電極構造体は、薄膜電極と金属電極が対となる対向電極で構成されることが一般的である。この場合、単数の電極（即ち、プラス極１つとマイナス極１つ）で電路を形成すると、薄膜電極の抵抗が高いために発光素子の電位差で容易に電圧ブロックが起こり、発光ムラが生じることがある。従って、従来の発光パネル用電極構造体では、各極に対して複数の電極を使用して複数の電路を設けることで、いずれかの電路で電圧ブロックが生じても他の電路が補っていることにより発光ムラを防ぐ構造をとっている。
【０００３】
従来のＦＦＣを使用した発光パネル用の電極構造体の概略図を図１（ａ）、（ｂ）に示す。図１（ａ）は電極構造体の全体の概略図を示し、図１（ｂ）はＦＦＣ部分の断面図を示す。図中、１はＦＦＣ部分、２は平型導体（電極）、３は絶縁性部材、４は接着剤、５はコネクタである。
【０００４】
図１に示すように、ＦＦＣ部分１の内部は、複数の平型導体２が互いに接触されずに平行に並べられて走っており、各平型導体２は、プラス極またはマイナス極のいずれかの電極を構成している。これらの平型導体２が３枚以上存在する場合、プラス極とマイナス極のものをそれぞれ一つにまとめて区分けすることが必要である。従来は、この区分けをＦＦＣ部分で行なって導通を安全に確保することは難しいと考えられており、従って、図１に示すように、ＦＦＣ部分１に対してコネクタ５等の外付けアイテムを嵌合することによって、平型導体（電極）２のプラス極とマイナス極の区分けを行なっていた。
【０００５】
このように外付けアイテムにより平型導体の電極のプラス極とマイナス極の区分けを行なうと、製品全体の厚さが外付けアイテムに支配されて厚くなるとともに、構造が複雑化し、コスト高になる問題があった。また、放熱性を向上するために、放熱性部材を塗布したり、貼り付けたりすると、製品全体の厚みがさらに増加する問題があった。
【発明の概要】
【発明が解決しようとする課題】
【０００６】
本発明は、かかる従来技術の問題を解消するために創案されたものであり、その目的は、ＦＦＣ部分内の平型導体のプラス極とマイナス極のそれぞれの導通を安全に確保しながら、その区分けを簡単な構造で行なうことができる、薄型の発光パネル用電極構造体、及びそれと連結した薄型の発光パネル構造体を提供することにある。
【課題を解決するための手段】
【０００７】
本発明者は、かかる目的を達成するために鋭意検討した結果、同極の平型導体同士を金属プレートで橋渡しして互いに電気的に導通させ、それとは異極の平型導体の上には絶縁性部材を設けて橋渡し金属プレートから異極の平型導体を絶縁させる構造を採用することにより、簡単な薄型の構造でＦＦＣ内で平型導体の極ごとの区分けを安全に行なうことができることを見い出し、本発明の完成に至った。
【０００８】
即ち、本発明は、以下の（１）〜（３）の構成を有するものである。
（１）第一絶縁性部材上に３枚以上の平型導体を互いに略平行に接触させずに並べ、前記平型導体のうち１枚をＡ極とし、それ以外の複数枚をＡ極とは異極のＢ極とし、Ｂ極の各平型導体の上を金属プレートで橋渡ししてＢ極の各平型導体を互いに電気的に導通させ、Ａ極の平型導体の上に第二絶縁性部材を設けてＡ極の平型導体を金属プレートから絶縁させていることを特徴とする発光パネル用電極構造体。
（２）第一絶縁性部材上に４枚以上の平型導体を互いに略平行に接触させずに並べ、前記平型導体のうち複数枚をＡ極とし、それ以外の複数枚をＡ極とは異極のＢ極とし、Ａ極の各平型導体の上を第一金属プレートで橋渡ししてＡ極の各平型導体を互いに電気的に導通させ、Ｂ極の各平型導体の上を第一金属プレートとは別個の第二金属プレートで橋渡ししてＢ極の各平型導体を互いに電気的に導通させ、Ａ極の平型導体の上に第二絶縁性部材を設けてＡ極の平型導体を第二金属プレートから絶縁させ、Ｂ極の平型導体の上に第三絶縁性部材を設けてＢ極の平型導体を第一金属プレートから絶縁させていることを特徴とする発光パネル用電極構造体。
（３）Ａ極とＢ極の電極を有し、それらに電流を流すことによって発光することができる発光パネルを、請求項１または２に記載の電極構造体と重ね合わせ、発光パネルのＡ極、Ｂ極を電極構造体のＡ極、Ｂ極にそれぞれ連結していることを特徴とする発光パネル構造体。
【発明の効果】
【０００９】
本発明の発光パネル用電極構造体は、外付けアイテムを使用せずに薄い金属プレートと絶縁性部材を使用して、ＦＦＣの内部で平型導体のプラス極とマイナス極の区分けを行なっているので、低い製造コストで簡単な薄型構造を達成することができる。また、本発明の発光パネル用電極構造体を発光パネルとともに組み立てたり、さらに放熱性部材を追加した場合でも、全体の厚さを薄く形成することができ、嵩ばらない構造を容易に作ることができる。
【図面の簡単な説明】
【００１０】
【図１】図１は、従来のＦＦＣを使用した発光パネル用電極構造体を概略的に示し、（ａ）は全体の概略図、（ｂ）はＦＦＣ部分の断面図を示す。
【図２】図２は、３枚の平型導体が使用された場合の本発明の発光パネル用電極構造体を示し、（ａ）は平面図、（ｂ）はＡ−Ａ′部の断面図を示す。
【図３】図３は、５枚の平型導体が使用された場合の本発明の発光パネル用電極構造体を示し、（ａ）は平面図、（ｂ）はＡ−Ａ′部の断面図、（ｃ）はＢ−Ｂ′部の断面図を示す。
【図４】図４は、図２の発光パネル用電極構造体が使用された場合の本発明の発光パネル構造体の概略分解図を示し、（ａ）は斜視図、（ｂ）は側面図を示す。
【発明を実施するための形態】
【００１１】
本発明の発光パネル用電極構造体及び発光パネル構造体の代表的な実施形態を図面に基づいて以下に説明するが、本発明はこれらに限定されるものではない。本発明の電極構造体で対象とする発光パネルとしては、例えば、液晶パネル、有機エレクトロルミネッセンス（ＥＬ）パネル、照明パネル等が挙げられる。
【００１２】
［第一実施形態］
図２は、１枚のＡ極の平型導体と２枚のＢ極の平型導体を使用した場合の本発明の第一実施形態による発光パネル用電極構造体の概略的な説明図であり、（ａ）は電極構造体の主要部品の平面図、（ｂ）は（ａ）のＡ−Ａ′部の断面図を示す。図中、２１ＡはＡ極の平型導体、２１ＢはＡ極とは異極のＢ極の平型導体、２２は金属プレート、２３は第二絶縁性部材、２４は第一絶縁性部材である。なお、Ａ極、Ｂ極の表現は、本発明においては、Ａ極がプラス極の場合、Ｂ極がマイナス極であり、Ａ極がマイナス極である場合、Ｂ極がプラス極であることを示す。
【００１３】
本発明の第一実施形態による発光パネル用電極構造体では、図２に示すように、第一絶縁性部材２４の上に３枚の平型導体２１Ａ，２１Ｂが互いに平行に接触せずに離れて並べられており、Ａ極を有する平型導体２１Ａは中央に配置され、Ａ極とは異極のＢ極を有する平型導体２１Ｂはその両側に配置されている。両側のＢ極の平型導体２１Ｂは、その上を金属プレート２２で橋渡しされており、これにより各平型導体２１Ｂを互いに電気的に導通するようになっている。一方、Ａ極の平型導体２１Ａの上には、第二絶縁性部材２３が設けられ、Ａ極の平型導体２１Ａを金属プレート２２から絶縁している。
【００１４】
このように電極構造体内で金属プレート２２と第二絶縁性部材２３を使用して上記のように配置することにより、Ｂ極の複数の平型導体２１Ｂは、それぞれが離れた位置であっても互いに導通を容易に確保できるとともに、Ｂ極の平型導体２１ＢとＡ極の平型導体２１Ａの間の電気的な絶縁状態が安全に達成されることができる。この実施形態では、外付けアイテムを使用しておらず、しかも金属プレート２２、第二絶縁性部材２３を薄型のものにすることができるので、全体としても薄型の構造を維持しながら電圧ブロックによる発光ムラを効果的に防止することができる。
【００１５】
図２の第一実施形態では、電極構造体の一部の部品だけを理解の容易のために示しているが、金属プレート２２や第二絶縁性部材２３以外の部品は、図１の構造を初めとして従来公知のＦＦＣの構造の部品を採用することができる。従って、平型導体２１Ａ，２１Ｂや第一絶縁性部材２４は、従来公知のものから適宜選択すればよく、例えば平型導体は、アルミ、スズ、金のような金属からなる平角軟導体、平角硬導体などを使用することができ、第一絶縁性部材は、例えばプラスチック樹脂成形物を使用することができる。金属プレート２２は、金属製の薄板またはフィルム状のものから作られることが好ましく、本発明の目的が達成される限り、その形状や材質は限定されない。また、第二絶縁性部材２３についても、プラスチック製の薄板またはフィルム状のものから作られることが好ましく、本発明の目的が達成される限り、その形状や材質は限定されない。
【００１６】
図２の第一実施形態では、Ａ極を有する平型導体２１Ａが中央に存在するものが示されているが、平型導体２１Ａは中央以外のいずれの位置に設けてもよい。それに伴なって又は所望により金属プレートで橋渡しする平型導体の位置や金属プレートの形状又は枚数を適宜変化させることができる。また、Ｂ極を有する平型導体２１Ｂは２枚のものが示されているが、平型導体２１Ｂは３枚以上存在させてもよい。さらに、第二絶縁性部材２３も金属プレート２２と平型導体２１Ａの間の絶縁状態を安全に確保できる限り、どのような形態で平型導体２１Ａの上に設置させてもよい。本発明の目的を達成できる限り、第一実施形態を上記のようにいずれの形態に変更しても本発明の範囲内であることは言うまでもない。
【００１７】
［第二実施形態］
図３は、２枚のＡ極の平型導体と３枚のＢ極の平型導体を使用した場合の本発明の第二実施形態による発光パネル用電極構造体の概略的な説明図であり、（ａ）は電極構造体の主要部品の平面図、（ｂ）は（ａ）のＡ−Ａ′部の断面図、（ｃ）は（ａ）のＢ−Ｂ′部の断面図を示す。図中、３１ＡはＡ極の平型導体、３１ＢはＡ極とは異極のＢ極の平型導体、３２Ａは第一金属プレート、３２Ｂは第二金属プレート、３３Ａは第三絶縁性部材、３３Ｂは第二絶縁性部材、３４は第一絶縁性部材である。なお、Ａ極、Ｂ極の表現の意味は前述の通りである。
【００１８】
本発明の第二実施形態による発光パネル用電極構造体では、図３に示すように、第一絶縁性部材３４の上に５枚の平型導体３１Ａ，３１Ｂが互いに平行に接触せずに離れて並べられており、Ａ極を有する平型導体３１Ａは両側に配置され、Ａ極とは異極のＢ極を有する平型導体３１Ｂはそれらの間に配置されている。両側のＡ極の平型導体３１Ａは、図３（ｂ）に示すように、その上を第一金属プレート３２Ａで橋渡しされており、これにより各平型導体３１Ａを互いに電気的に導通するようになっている。一方、Ｂ極の平型導体３１Ｂの上には、第三絶縁性部材３３Ａが橋渡しして設けられ、Ｂ極の平型導体３１Ｂを第一金属プレート３２Ａから絶縁している。第三絶縁性部材３３Ａは、必ずしも平型導体３１Ｂの上に橋渡しして設けられる必要はなく、各平型導体３１Ｂの上に個別に設けられてもよい。この図３（ｂ）に示す構造は、本発明の第二実施形態では、図３（ａ）のＡ−Ａ′部からわかるように二箇所設けられているが、一箇所でも三箇所以上でもよい。
【００１９】
また、両側の平型導体３１Ａの間のＢ極の平型導体３１Ｂは、図３（ｃ）に示すように、その上を第二金属プレート３２Ｂで橋渡しされており、これにより各平型導体３１Ｂを互いに電気的に導通するようになっている。第二金属プレート３２Ｂは、両側の平型導体３１Ａの上まで延長されているが、必ずしもそこまで延長する必要はない。一方、両側のＡ極の平型導体３１Ａのそれぞれの上には、第二絶縁性部材３３Ｂが設けられ、Ａ極の平型導体３１Ａを第二金属プレート３２Ｂから絶縁している。第二絶縁性部材３３Ｂは、平型導体３１Ａの真上に接触して設けられているが、平型導体３１Ａと第二金属プレート３２Ｂからの絶縁状態を達成できる限り、平型導体３１Ａの側面上や平型導体３１Ａから離して設けてもよい。
【００２０】
このように電極構造体内で第一金属プレート３２Ａ、第二金属プレート３２Ｂ、第三絶縁性部材３３Ａ、第二絶縁性部材３３Ｂを使用して上記のように配置することにより、Ａ極の複数の平型導体３１Ａ、Ｂ極の複数の平型導体３１Ｂは、それぞれの同じ極同士が離れた位置であっても、同じ極ごとに互いに導通を容易に確保できるとともに、Ａ極の平型導体３１ＡとＢ極の平型導体３１Ｂの間の電気的な絶縁状態が安全に達成されることができる。この実施形態では、外付けアイテムを使用しておらず、しかも第一金属プレート３２Ａ、第二金属プレート３２Ｂ、第三絶縁性部材３３Ａ、第二絶縁性部材３３Ｂを薄型のものにすることができるので、全体としても薄型の構造を維持しながら電圧ブロックによる発光ムラを効果的に防止することができる。
【００２１】
図３の第二実施形態では、図２と同様に電極構造体の一部の部品だけを理解の容易のために示しているが、第一金属プレート３２Ａ、第二金属プレート３２Ｂ、第三絶縁性部材３３Ａ、第二絶縁性部材３３Ｂ以外の部品は、従来公知のＦＦＣの構造の部品を採用することができる。従って、平型導体３１Ａ，３１Ｂや第一絶縁性部材２４は、第一実施形態と同様に従来公知のものから適宜選択すればよい。また、第一金属プレート３２Ａ、第二金属プレート３２Ｂや第三絶縁性部材３３Ａ、第二絶縁性部材３３Ｂも第一実施形態と同様のものを適宜選択すればよい。
【００２２】
図３の第二実施形態では、Ａ極を有する平型導体３１Ａが両側に存在し、それらの間にＢ極を有する平型導体３１Ｂが複数存在しているものが示されているが、平型導体３１Ａ及び平型導体３１Ｂの位置及び枚数は図３のものに限定されない。それに伴なって又は所望により、第一金属プレート３２Ａ、第二金属プレート３２Ｂで橋渡しする平型導体の位置や金属プレートの形状又は枚数を適宜変化させることができる。また、第三絶縁性部材３３Ａ、第二絶縁性部材３３Ｂについても、第一金属プレート３２Ａと平型導体３１Ｂの間、及び第二金属プレート３２Ｂと平型導体３１Ａの間の絶縁状態を安全に確保できる限り、どのような形態で平型導体の上に設置させてもよい。さらに、第一金属プレート、第二金属プレートによる同極間の平型導体の橋渡し部分は、図３とは異なる数や形態で設けてもよく、金属プレートと平型導体の間の絶縁性部材の設置枚数や面積や形態も図３とは異なるようにしてもよい。本発明の目的を達成できる限り、第二実施態様を上記のようにいずれの形態に変更しても本発明の範囲内であることは言うまでもない。
【００２３】
［第三実施形態］
図４は、図２の発光パネル用電極構造体と発光パネルが連結されて形成された発光パネル構造体の概略的説明図であり、（ａ）はその斜視図、（ｂ）はその側面図を示す。図中、２１ＡはＡ極の平型導体、２１ＢはＡ極とは異極のＢ極の平型導体、２２は金属プレート、２３は第二絶縁性部材、２４は第一絶縁性部材、２５は発光パネル、２６ＡはＡ極の電極、２６ＢはＢ極の電極、２７は図２の発光パネル用電極構造体である。なお、Ａ極、Ｂ極の表現の意味は前述の通りである。
【００２４】
本発明の第三の実施形態による発光パネル構造体では、図４に示すように、発光パネル２５はＡ極の電極２６ＡとＢ極の電極２６Ｂを有しており、それらの電極は、発光パネル用電極構造体２７のＡ極の平型導体（電極）２１ＡとＢ極の平型導体（電極）２１Ｂにそれぞれ接触するように連結される。発光パネル２５と発光パネル用電極構造体２７は、重ね合わされて全体として発光パネル構造体を形成するが、本発明の発光パネル構造体では、全ての部品が薄型のもので作成され、外付けアイテムが不要であるので、全体としてやはり薄型で嵩ばらない構造をとることができる。発光パネル２５は、発光パネル用電極構造体２７の平型導体（電極）２１Ａ，２１Ｂに電流が流れ、それらが発光パネル２５の電極２６Ａ，２６Ｂに流れることによって発光されるようになっている。
【００２５】
図４の第三実施形態では、発光パネル用構造体として図２の第一実施形態のものを使用しているが、図３の第二実施形態のものやそれ以外の本発明の範囲内で変更したものを発光パネル用構造体として採用することができ、それに合わせて電極位置を変更させた発光パネルを同時に採用することができる。発光パネル２５としては、Ａ極の電極とＢ極の電極を有し、それらに電流を流すことにより発光できる構造を有するものであり、特に限定されないが、例えば液晶パネル、ＥＬパネル、照明パネル等の中から適宜選択すればよい。
【産業上の利用可能性】
【００２６】
本発明の発光パネル用電極構造体は、外付けアイテムを使用せずに、しかも安全性を劣さずに、薄型の嵩ばらない構造を達成しているので、薄型の発光パネルを低コストで提供することができる。
【図１】
2014098733.tif 000003
【図２】
2014098733.tif 000004
【図３】
2014098733.tif 000005
【図４】
2014098733.tif 000006